Podtech/llm-jp-corpus-v4-ja_patent huggingface dataset:
(57)【要約】      （修正有）【課題】棚板を複数段設け、分割し、取り外すことができ、種類の違う植物や成長過程の違う植物等を同時に栽培することができる室内植物栽培用プランター載置収納ラックを提供する。【解決手段】室内植物栽培用プランター載置収納ラックは、ラック本体１に棚板２、ＬＥＤ照明付き天板３を設け、それぞれに支柱取付用固定具２ａ、３ａ、支柱取付用ねじ２ｂ、３ｂを備えており、さらに棚板２は分割し取り外すことができ、必要に応じて棚板を分割し取り外しまた支柱取付用ねじ２ｂ、３ｂを用い高さを上下させ調整することで、さらにＬＥＤライト３１についても光合成に必要な赤色、植物の成長（発芽から育苗）に最適な青色を効率よく配置し、植物の生育状況や植物の種類によって最適に照射することにより種類や成長過程の違う植物を簡単に複数、同時に室内で栽培することができる。【選択図】図１
0003233806.tif 000002
【実用新案登録請求の範囲】
【請求項１】
植物栽培用プランターを載置収納する棚板を複数段備え、各段の棚板を分割し取り外すことができることを特徴とする室内植物栽培用プランター載置収納ラック。
【請求項２】
前記植物栽培用プランター載置収納ラックの棚板の高さを上下させることができることを備えたことを特徴とする請求項１に関する室内植物栽培用プランター載置収納ラック。
【請求項３】
前記植物栽培用プランター載置収納ラックの天板に人工光源を備えたことを特徴とする請求項１及び請求項２に関する室内植物栽培用プランター載置収納ラック。
【請求項４】
前記植物栽培用プランター載置収納ラックの人工光源備付けの天板の高さを上下させることができることを備えたことを特徴とする請求項１及び請求項２、請求項３に関する室内植物栽培用プランター載置収納ラック。
【考案の詳細な説明】
【技術分野】
【０００１】  本考案は、対象植物を室内で育てる植物栽培装置に関するものである。
【背景技術】
【０００２】  近年、屋外だけではなく屋内でも水耕栽培や土耕栽培において植物栽培が行われており、特殊なプランターや植物の生育を助長するために人工的に光を照射することができる植物栽培装置が提供されている。
【先行技術文献】
【特許文献】
【０００３】
【特許文献１】特開２０１６−２０２１３８
【考案の概要】
【考案が解決しようとする課題】
【０００４】  しかしながら、成長過程や成長速度等が違う植物はそれぞれに合ったプランターで栽培することが求められ、特殊な装置の付いたプランターや特殊な装置の付いたプランターを載置した植物栽培装置を使用すると、同時に多種の植物の栽培をするには不向きであり、同時に多種の植物を栽培するには経済的に向いているとはいえないという問題があった。
本考案が解決しようとする課題は植物栽培用プランターの載置収納する棚板を複数段備え、各段の棚板を分割することができることにある。
【課題を解決するための手段】
【０００５】  本考案は、上記事情に鑑み、室内植物栽培用プランター載置収納ラックの棚板を複数段備え、各段の棚板を分割し取り外すことができるようにすることにより、例えば上段の棚板の分割した一部を取り外すことにより、上段の棚板には発芽状態の植物、下段の棚板にはある程度成長し、葉を付けている植物等、種類の違う植物や成長過程の違う植物、成長速度が異なる植物を簡単に複数を同時に栽培できることを特徴としている。
【考案の効果】
【０００６】  上述の様に、本考案の室内植物栽培用プランター載置収納ラックは、棚板を複数段備え、各段の棚板を分割し取り外すことができるようにすることにより種類の違う植物（葉菜、果菜、根菜）や成長過程の違う植物を栽培しているプランターを簡単に複数を同時に載置収納でき、栽培することができる。
【図面の簡単な説明】
【０００７】
【図１】室内植物栽培用プランター載置収納ラックの概略構成図。
【図２】図１の室内植物栽培用プランター載置収納ラックの棚板分解斜視図
【図３】図１の室内植物栽培用プランター載置収納ラックの棚板平面図
【図４】図１の室内植物栽培用プランター載置収納ラックのＬＥＤ照明付天板の底面図
【考案を実施するための形態】
【０００８】  以下、本考案を適用した室内植物栽培用プランター載置収納ラックの一実施形態について説明する。
図１は、室内植物栽培用プランター載置収納ラックの概略構成図でる。
【０００９】  図１に示すように主な構造はＬＥＤ照明付天板３、支柱１１、棚板２、間口桟（ビーム）１２、アジャスター１３からなっている。
棚板については、複数段で構成している。
アジャスター１３についてはローラー付きにし、移動可能とするのもよい。
【００１０】  図２は図１の室内植物栽培用プランター載置収納ラックの棚板分割斜視図である。
棚板２は分割し取り外すことができ分割棚板２３、棚受け２１、棚受け溝２２支柱取付用固定具２ａ、支柱固定ねじ２ｂからなっている。
【００１１】  図３は図１の室内植物栽培用プランター載置収納ラックの棚板平面図である。
上記の通り、プランター載置収納部分の棚板２は、分割し取り外すことができ、例えば、上段の棚板を分割して取り外し、下段の棚板にある程度成長し葉をつけているプランター２４ａを載置収納し、上段の棚板には種子または発芽状態程度のプランター２４ｂを載置収納することにより生育状況の違う植物を複数同時に育てることができる。また、支柱取付用固定具２ａ支柱取付ねじ２ｂを備え、棚板２の高さを上下させることができることにより、さらに生育状況の違う植物や種類の違う植物（葉菜、果菜、根菜など）を複数、同時に育てることができる。
【００１２】  図４は図１の室内植物栽培用プランター載置収納ラックのＬＥＤ照明装置付天板の底面図でる。ＬＥＤ照明装置付天板３には、ＬＥＤライト３１、支柱取付用固定具３ａ、支柱取付用ねじ３ｂ、を備えており、ＬＥＤ照明装置付天板３の高さを上下させることにより、植物の生育に合わせ光の当て方を最適な状態に調整することができ、室内において生育状況の違う植物や種類の違う植物（葉菜、果菜、根菜）を複数同時に育てることができる。
ＬＥＤ照明装置は、光合成に欠かせない赤色、植物の成長（発芽から育苗）に最適な青色を効率的に合わせ配置することが望ましい。
【符号の説明】
【００１３】１      ：室内植物栽培用プランター載置収納ラック
１１    ：支柱
１２    ：間口桟（ビーム）
１３    ：アジャスター
２      ：棚板
２ａ    ：支柱取付用固定具
２ｂ    ：支柱取付用ねじ
２１    ：棚受け
２２    ：棚受け溝
２３    ：分割棚板
２４ａ  ：プランター
２４ｂ  ：プランター
２５    ：植物
２６    ：種子
３      ：ＬＥＤ照明付き天板
３ａ    ：支柱取付用固定具
３ｂ    ：支柱取付用ねじ
３１    ：ＬＥＤライト
【図１】
0003233806.tif 000003
【図２】
0003233806.tif 000004
【図３】
0003233806.tif 000005
【図４】
0003233806.tif 000006
(57)【要約】      （修正有）【課題】長時間使用しても耳が痛くなりにくく、耳たぶから離脱しにくい装身具のイヤリング金具を提供する。【解決手段】本考案のイヤリング金具は、装飾体１と挟持体４をスプリングピン３で軸着することでスプリングピンのバネの負荷によりイヤリングの開閉角度を任意に調整することができ、耳たぶ８を確実に挟持することが可能である。また、耳たぶに装着した際に、クッションの役割のシリコーンゴム等の弾性部材による凸部を設けているので、耳たぶがむやみに痛むこともない。さらに、イヤリング金具を耳たぶから離脱させるには、凸部２を下方向に下げることにより簡単に離脱できる。【選択図】図３
0003233807.tif 000002
【実用新案登録請求の範囲】
【請求項１】
略半円弧状の装飾体と、該装飾体の一端に固定された宝玉取付部と、該宝玉取付部と所定の間隔を隔てて対向配置した凸部挟持体と、該凸部挟持体の一端に固定されたアームと、該アームの他端に形成した二股状の軸受部と、該軸受部には前記凸部挟持体の他端が挿入され、前記凸部挟持体が軸心に対して回動可能に軸着するスプリングピンとを有することを特徴とする装身具のイヤリング金具。
【請求項２】
耳たぶを挟持する前記宝玉取付部と前記凸部挟持体の対向接触面は、シリコーンゴム等の弾性部材により形成されていることを特徴とする請求項１に記載の装身具のイヤリング金具。
【請求項３】
前記スプリングピンは、軸方向に切り欠いたスリ割部が形成され、前記スプリングピンを前記軸受部に挿通することにより拡径方向のスプリング作用を持たせるようにしたことを特徴とする請求項１又は請求項２に記載の装身具のイヤリング金具。
【考案の詳細な説明】
【技術分野】
【０００１】      本発明は、例えば装飾体として真珠等を使用した装身具のイヤリング金具に関するものである。
【背景技術】
【０００２】従来上記のようなイヤリングを耳たぶに装着するに際し、ネジ式金具を使用して耳に挟むイヤリングが市販され一般に用いられている。
【先行技術文献】
【特許文献】
【０００３】    しかしながら上記従来イヤリングは、使用しているとネジが緩み、外れてしまうことがある
【特許文献１】実用新案登録第３０２８８９７号
【特許文献２】実用新案登録第３１０２５１４号
【考案の概要】
【考案が解決しようとする課題】
【０００４】  上記従来の装身具のイヤリング金具は、ネジが緩みイヤリングが耳たぶから外れてしまったり、耳を挟む力が強すぎて、長時間使用時に耳が痛くなったりする難点がある。
また、イヤリングを使用するのは、主に女性が多いので少ない力で装着できるものの方が。良いがそのような配慮がされていなかった。
本考案は、上記のような課題を解決するためになされたもので、従来の装身具のイヤリング金具より少ない力で確実に耳たぶを挟持し、個人個人違う耳たぶ厚さに合わせて間隔を調節し、装着しやすく外れにくいイヤリング金具を提供することを目的とする。
【課題を解決するための手段】
【０００５】  請求項１に記載の考案は、略半円弧状の装飾体と、該装飾体の一端に固定された宝玉取付部と、該宝玉取付部と所定の間隔を隔てて対向配置した凸部挟持体と、該凸部挟持体の一端に固定されたアームと、該アームの他端に形成した二股状の軸受部と、該軸受部には前記凸部挟持体の他端が挿入され、前記凸部挟持体が軸心に対して回動可能に軸着するスプリングピンとを有することを特徴とする装身具のイヤリング金具である。【０００６】  請求項２記載の考案は、耳たぶを挟持する前記宝玉取付部と前記凸部挟持体の対向接触面が、シリコーンゴム等の弾性部材により形成されていることを特徴とする請求項１に記載の装身具のイヤリング金具である。【０００７】  請求項３に記載の考案は、前記スプリングピンが、軸方向に切り欠いたスリ割部が形成され、前記スプリングピンを前記軸受部に挿通することにより拡径方向のスプリング作用を持たせるようにしたことを特徴とする請求項１又は請求項２に記載の装身具のイヤリング金具である。
【考案の効果】
【０００８】  本考案は概略以下のような効果を奏する。
（１）連結部材のヒンジに外方向に広がるバネ作用を有するスプリングピンを使用することによりバネの負荷がより強まり、耳たぶに加わる強い摩擦力で当該耳たぶからのイヤリングの離脱を防ぐことができる。
（２）耳たぶとの当接箇所にシリコーンゴム等の弾性部材を使用しているので、耳たぶの痛みが軽減される。
（３）上記スプリングピンは、一般的に販売されているものなので安価であり、特にコスト高なることもない。
【図面の簡単な説明】
【０００９】
【図１】この考案の一実施例であるイヤリング金具の側面図である。
【図２】上記イヤリング金具の外観斜視図である。
【図３】上記イヤリング金具を耳たぶに装着した状態の側面図である。
【図４】上記イヤリング金具に使用するスプリングピンを用いた軸受部の概略を示す外観斜視図である。
【実施例】
【００１０】  図１において３は、１と４を連結させる連結部材で、連結させる為のピンの挿入用の穴を設けている。ピンは１０，１１，１２の貫通孔より少し径が大きくなっていて軸着した時にバネになる。【００１１】  ２下方向に下げることにより耳たぶを挟持するための間を作り、矢印の反対方向に挙げることのより耳たぶを、挟持する。また個々により耳たぶの厚みが違うが４の角度がどの角度でも挟持する力は変わらないので誰でも使用することができる。
【符号の説明】
【００１２】１装飾体
２凸部
３スプリングピン
４挟持体
５凸部
６宝玉取付部
７ゴム
８耳たぶ
９宝玉
１０貫通穴
１１貫通穴
１２貫通穴
【図１】
0003233807.tif 000003
【図２】
0003233807.tif 000004
【図３】
0003233807.tif 000005
【図４】
0003233807.tif 000006
(57)【要約】      （修正有）【課題】便座での男性立小便の際、尿はねに対する手間やストレスから解放し、掃除や衛生面の問題を軽減する尿はね防止装置を提供する。【解決手段】尿はね防止装置は、便座４の上部から下部に向かって空気を吹き出す空気吹き出し口１を便座４上部に設ける。エアーコンプレッサーより送られてきた空気を便座上部から便座下部に向かってエアーカーテン状に吹き出して蓋の役目をし、そこに向かって小便をすると下方への空気と小便が混ざって下方に落ち、尿はねが起こらない。【選択図】図１
0003233827.tif 000002
【実用新案登録請求の範囲】
【請求項１】
エアーコンプレッサーより送られてきた空気が便座上部から便座下部に向かってエアーカーテン状に吹き出し、空気が蓋の役目をして尿ハネを防ぐ装置。
【考案の詳細な説明】
【技術分野】
【０００１】本考案は、男性が便座での立小便尿の際の尿はね防止の装置に関するものである。
【背景技術】
【０００２】＾便座で男性の立小便で起こる尿はね防止の装置が無いまま使用している
【考案の開示】
【考案が解決しようとする課題】
【０００３】男性の便座での立小便は思いのほか便器、床、壁に飛び散り、高さも一メートルくらい飛び散り、掃除や衛生面でも問題が生じている。
【課題を解決するための手段】
【０００４】そこで、男性の立ち小便の際、後方のエアーコンプレッサーより管を通して便座上部より送られてきた空気が便座下部に向かって勢いよくエアーカーテン状の形を作り、蓋の役目をし、小便が尿はねをしない。
【考案の効果】
【０００５】よって、男性の立ち小便の際の立つ位置や、小便の角度や、便座の中にトイレットペーパーや、泡でクッションを作ったりの手間や、ストレスからも解放され、掃除や衛生面からも解放される。
【考案を実施するための最良の形態】
【０００６】男性の便座での立ち小便の際、便座蓋を上げた瞬間にエアーコンプレッサーのスイッチが入るので大人、子供、角度に関係なく瞬時に使用でき、エアーカーテン状に便座が蓋をして、尿の跳ね返りがふせげる。
【図面の簡単な説明】
【０００７】
【図１】本校案の尿はね防止装置図を縦切りの状態から見た断面図。
【図２】本考案の尿はね防止装置図を上から見た図
【符号の説明】
【０００８】  １      空気吹き出し口
２      吹き出し口からの空気
３      溜まり水
４      便座
【図１】
0003233827.tif 000003
【図２】
0003233827.tif 000004
【手続補正書】
【提出日】令和3年6月3日(2021.6.3)
【手続補正１】
【補正対象書類名】実用新案登録請求の範囲
【補正対象項目名】全文
【補正方法】変更
【補正の内容】
【実用新案登録請求の範囲】
【請求項１】
便座上部から便座下部に向かって空気を吹き出す空気吹き出し口を便座上部に設けた尿はね防止装置。
(57)【要約】      （修正有）【課題】マスク前方に簡単に取り付けられる小型軽量の送風装置により常にマスクに風を送りマスクの内側と外側を冷却し、頭部への重量的な負担も少なく風量も微風程度でもマスクへの冷却効果が期待できる、マスク用蒸れ軽減装置を提供する。【解決手段】使用者の頭部固定装置から使用者の口元まで伸びた、中に電源コードの通った自由に曲がるパイプ部分の先端に接続された吸入口と排出口のあるカバーで覆われた小型軽量送風機。【選択図】図２
0003233822.tif 000002
【実用新案登録請求の範囲】
【請求項１】
使用者の頭部に設置しマスクに近接し、直接マスクに風を送る小型軽量の送風機。
【考案の詳細な説明】
【技術分野】
【０００１】本考案は、夏場のマスク使用に関するものである。
【背景技術】
【０００２】現在、夏場のマスクを使用する場合使用者の吐く息がこもり蒸れて熱くなり非常に不快感がある。しかし現在、胸元から顔にかけて風を送る送風機はあるが、マスクに効果的な機器が見当らない。
【先行技術文献】
【特許文献】
【特許文献】登録実用新案公報（Ｕ）実用新案登録第３１４３７４２号（Ｕ３１４３７４２）
【考案の概要】
【考案が解決しようとする課題】
【０００８】現在使用されているマスクは、主に気温が低い時期に使用されていた為夏場のマスクを使用する場合使用者の吐く息がこもり、蒸れて熱くなり非常に不快感がある。
【課題を解決するための手段】
【０００９】本考案は、マスク前方に簡単に取り付けられる小型軽量の送風装置により常にマスクに風を送りマスクの内側と外側を冷却しょうとするものである。
【考案の効果】
【００１０】小型軽量の送風装置である為、頭部への重量的な負担も少なく風量も微風程度でもマスクへの冷却効果が期待できる。
【図面の簡単な説明】
【００１１】
【図１】本考案の頭部固定と送風装置及び、電池ケース。
【図２】マスクをした状態での装着図。
【図３】送風装置の裏面の風の吹き出し口。
【考案を実施するための形態】
【００１２】頭部への固定装置の片方に自由に曲がる接続棒の先に小型軽量の送風機を設置し、又、頭部への固定装置からコードにより電池ケースに接続しその電池ケースは、首根部分に固定出来るようにする。
【符号の説明】
【００１３】Ａ    送風装置
Ｂ    頭部固定装置
Ｃ    電池ケース（電源）
Ｄ    自由に曲がるパイプ部分
Ｅ    頭部固定装置の長さ調節部分
【図１】
0003233822.tif 000003
【図２】
0003233822.tif 000004
【図３】
0003233822.tif 000005
【手続補正書】
【提出日】令和2年10月20日(2020.10.20)
【手続補正１】
【補正対象書類名】実用新案登録請求の範囲
【補正対象項目名】全文
【補正方法】変更
【補正の内容】
【実用新案登録請求の範囲】
【請求項１】
マスクに近接し直接マスクの上から風を送る事が出来る小型軽量送風機。
【請求項２】
使用者の頭部固定装置により自由に曲がるパイプで支持される請求項１のマスク用の小型軽量送風機。
【請求項３】
幅が調節出来る、首かけ式のスイッチ付き電源ケースを電源コードで繋げた請求項１及び請求項２の小型軽量送風機。
【手続補正書】
【提出日】令和3年1月28日(2021.1.28)
【手続補正１】
【補正対象書類名】実用新案登録請求の範囲
【補正対象項目名】全文
【補正方法】変更
【補正の内容】
【実用新案登録請求の範囲】
【請求項１】
電源コードの入った自由に曲がるパイプを接続する事により、小型軽量化し口もと数センチまで近づけて使用出来る、吸入口と排出口のあるカバーで覆われた送風機。
【請求項２】
使用者の頭部固定装置により自由に曲がるパイプで支持される請求項１のマスク用の小型軽量送風機。
【請求項３】
幅が調節出来る、首かけ式のスイッチ付き電源ケースを電源コードで繋げた請求項１及び請求項２の小型軽量送風機。
【手続補正書】
【提出日】令和3年5月14日(2021.5.14)
【手続補正１】
【補正対象書類名】実用新案登録請求の範囲
【補正対象項目名】全文
【補正方法】変更
【補正の内容】
【実用新案登録請求の範囲】
【請求項１】
使用者の頭部固定装置から使用者の口元まで伸びた、中に電源コードの通った自由に曲がるパイプ部分の先端に接続された吸入口と排出口のあるカバーで覆うわれた小型軽量送風機。
【請求項２】
Ｃ字型のＣの部分の開き角度が、曲げれるパイプや蝶つがいなどにより調節出来る、Ｃ字型の首かけ式のスイッチ付き電源ケースを電源コードで繋げた請求項１の小型軽量送風機。
(57)【要約】      （修正有）【課題】交通規制、事故処理などを行う際、交通パトロールカーに搭載する備品の量が多義にわたり搭載できなかったり、目的のものがどこにあるのかすぐに見つけだせなかったりすることを解消するため、コンパクト化や兼用化を実現する誘導板付伸縮コーンを提供する。【解決手段】誘導板付伸縮コーンは、伸縮コーンのベース２の裏面に誘導板３を取り付け、誘導機能を持たせたものである。誘導板付伸縮コーンを横置きして、誘導用の矢印板をあらわし、規制用コーンと誘導板３を兼用化する。【選択図】図１
0003233886.tif 000002
【実用新案登録請求の範囲】
【請求項１】
伸縮コーンのベースの裏面に誘導板を取り付けた誘導板付伸縮コーン
【考案の詳細な説明】
【技術分野】
【０００１】
本考案は交通等の規制に用いられる伸縮コーンに、誘導機能を持たせるものである。
【背景技術】
【０００２】
従来の伸縮コーンはベースからとんがり状のものがでてくるものであり、それを並べて車輌や人を規制するものであり、誘導機能を持たせるためにはコーンに誘導板を抱かせることにより誘導機能を持たせるか、誘導のための矢印板等の設置をすることで構成されている。
【先行技術文献】
【非特許文献】
【０００３】
（株）ジェイウィン  総合カタログ２０２０ｐ２６
【考案の概要】
【考案が解決しようとする課題】
【０００４】
本考案は伸縮コーンに規制機能と同時に誘導機能を持たせ事を目的としている。
【課題を解決するための手段】
【０００５】
上記目的を達成するために、本考案は伸縮コーンのベースの裏面に誘導板を取り付け、誘導機能を持たせたものである。
【考案の効果】
【０００６】
以上の説明から明らかのように、本考案にあっては次に列挙する効果がえられる。
（１）  誘導板付伸縮コーンにすることで、他の設置物を設置することなく、それ単体で誘導ができるため、規制、誘導の為の物品を複数用意しなくてもよく簡便になるのである。
（２）  前記（１）によって伸縮コーンの置き方を変えるだけで規制、誘導ができるため即時性があるのである。
【図面の簡単な説明】
【０００７】
【図１】本考案を実施するための最良の第1の形態の横置き図である。
【図２】縦置き図
【図３】収納図
【考案を実施するための形態】
【０００８】
以下、本考案の実施の形態を図に基づいて説明する。
【実施例１】
【０００９】
図１は、本考案、誘導板付伸縮コーンを横置きして、誘導用の矢印板をあらわしたものである。
【産業上の利用可能性】
【００１０】
交通規制、事故処理などを行う際、交通パトロールカーに搭載する備品の量が多義にわたり搭載できなかったり、目的のものがどこにあるのかすぐに見つけだせなかったりするのである。よってこのことを解消するためコンパクト化や兼用化が必要とされるのである。
【符号の説明】
【００１１】
1伸縮とんがり部
２ベース
３誘導板
【図１】
0003233886.tif 000003
【図２】
0003233886.tif 000004
【図３】
0003233886.tif 000005
(57)【要約】      （修正有）【課題】荷台を覆うトラックシートとトラック本体とを接続するのに必要な労働的負担を軽減するトラック用の輪状のゴム紐を提供する。【解決手段】トラックの荷台を覆うトラックシートとトラック本体とを接続して止めるための輪状のゴム紐２で、前記輪状のゴム紐の断面が略円状で、丸みを持たせ脱着しやすくするようにしたことを特徴とするトラック用輪状のゴム紐である。輪状のゴム紐を着色し、柔らかさ、伸び方を識別し易くする。【選択図】図１
0003233862.tif 000002
【実用新案登録請求の範囲】
【請求項１】
トラックの荷台を覆うトラックシートとトラック本体とを接続して止めるための輪状のゴム紐で、前記輪状のゴム紐の断面が略円状で、丸みを持たせ脱着し易やするようにしたことを特徴とするトラック用の輪状のゴム紐。
【請求項２】
前記輪状のゴム紐を着色し、柔らかさ、伸び方を識別しやすくする機能を特徴とする請求項１に記載のトラック用の輪状のゴム紐。
【考案の詳細な説明】
【技術分野】
【０００１】本考案は、丸みと色をゴムに設けた、トラックシートを押さえるトラック用の輪状のゴム紐に関する。
【背景技術】
【０００２】トラックの荷台を覆うトラックシートとトラック本体の脱着に、通常は、黒色で形状が平らな平ベルトを使用している。トラックシートとトラック本体を、平ベルトで結び、脱着するのに、平ベルトをほどく必要があり、接続するのに労力が必要である。また、手・荷物への黒ゴムの移行を防ぎ見た目を鮮やかにする効果がある。黒色のゴムは材料設計上どうしても移行性が発生します。カラーゴムは移行性が少ない為、手や荷物への色移行がしにくくなります。
【考案の概要】
【考案が解決しようとする課題】
【０００３】トラックドライバー、特に女性などは、荷台を覆うトラックシートとトラック本体とを接続するのに力が必要で労働的負担になっている。力がそれほどいらなく脱着できる形状にする事により前述の欠点を解決しようとすることを目的とする。
【課題を解決するための手段】
【０００４】トラックの荷台を覆うトラックシートとトラック本体とを接続して止めるための輪状のゴム紐で、前記輪状のゴム紐の断面が略円状で、丸みを持たせ脱着しやすくするようにしたことを特徴とするトラック用の輪状のゴム紐である。【０００５】  輪状のゴム紐を着色し、柔らかさ、伸び方を識別しやすくする機能を特徴とするトラック用の輪状のゴム紐。
【考案の効果】
【０００６】本考案のトラック用輪状のゴム紐は、トラックシートの脱着を容易にする事で労働的負担を軽減し、手・荷物への黒ゴムの移行を防ぎ見た目を鮮やかにする効果がある
【図面の簡単な説明】
【０００７】
【図１】トラック用の輪状のゴム紐  （ａ）形状  （ｂ）トラックシートのトラック本体への取り付けへの使用例
【図２】トラック用輪状のゴム紐による荷台シートとトラックの接続方法
【考案を実施するための形態】
【０００８】  本考案はゴムの成型時に丸形状にし、かつ輪っかの状態で成形する事で、トラックの荷台部分のフックへの取り付け、取り外しが容易にできる事を可能にし、かつ、非移行性のゴム材料を使用する事で、手または手袋への黒色の付着を解決している
【０００９】図１の（ａ）にトラック用の輪状のゴム紐、（ｂ）にトラック用輪状のゴム紐によるトラックシートとトラック本体の取り付け例を示す。
トラック用の輪状のゴム紐は、トラックの荷台を覆うトラックシートとトラック本体とを接続して止めるための輪状のゴム紐である。
輪状のゴム紐の断面が略円状で、断面が略円状で、丸みを持たせ脱着し易すいようにしたことを特徴とするトラック用輪状のゴム紐である。
また、トラック用輪状のゴム紐を着色し、柔らかさ、伸び方を識別し易くしている。
【００１０】図２は４つのサブ図からなる。左上の図は、トラックシートとトラック本体を接続するトラック用輪状のゴム紐を示す。
先ず、右上の図に示すように示すように、トラックシートのハトメ部分にトラック用輪状のゴム紐を通す。次に、左下の図のように、ゴム輪の内側にゴム輪を通す。最後に、右下の図のように、ゴム輪の片側を引っ張って、トラック本体のフックに引っ掛けて固定する。
【産業上の利用可能性】
【００１１】本考案のトラック用輪状のゴム紐は、トラック運送業者の業務の効率化に貢献する。
【符号の説明】
【００１２】１  トラック
２  トラック用輪状のゴム紐
３  トラックシート
【図１】
0003233862.tif 000003
【図２】
0003233862.tif 000004
(57)【要約】      （修正有）【課題】ゴキブリ捕獲器及びダニ捕獲器等を、乳児、幼児及び屋内で飼育するペットの力に耐えうる構造の保護箱に入れ、捕獲機能を維持しつつ、乳児、幼児及び屋内で飼育するペットが、直接触れないようにする保護箱を提供する。【解決手段】保護箱は、下側の籠部品２にゴキブリ捕獲器及びダニ捕獲用器等４を、セロハンテープ等で接着固定し、上側の籠部品１で覆う。乳児、幼児及び屋内で飼育するペットが、ゴキブリ捕獲器及びダニ捕獲器等４に直接触れないようにでき、鉄線組構造にすることにより、捕獲機能を損なわない。【選択図】図１
0003233835.tif 000002
【実用新案登録請求の範囲】
【請求項１】
ゴキブリ捕獲器及びダニ捕獲器等の、乳児、幼児及び屋内で飼育するペットからの保護を目的とし、鉄線を電気溶接で組んだ構造の保護箱
【考案の詳細な説明】
【技術分野】
【０００１】  本考案は、ゴキブリ捕獲器及びダニ捕獲器等の保護箱に関するものである。
【背景技術】
【０００２】  従来、ゴキブリ捕獲器及びダニ捕獲器等は、乳児、幼児及び屋内で飼育するペットが触り、捕獲機能の低下若しくは喪失や、不衛生となる可能性があった。
【先行技術文献】
【特許文献】
【０００３】
【特許文献１】なし
【非特許文献】
【０００４】
【非特許文献１】なし
【考案の概要】
【考案が解決しようとする課題】
【０００５】  本考案が解決しようとする課題は、乳児、幼児及び屋内で飼育するペットが、ゴキブリ捕獲器及びダニ捕獲器等に、直接触るのを防止できるとともに、ゴキブリ捕獲器及びダニ捕獲用器等を、乳児、幼児及び、ペットの力に耐えうるように且つ、捕獲機能を阻害しない構造の保護箱を提供することにある。
【課題を解決するための手段】
【０００６】  本考案は、保護箱を乳児、幼児、ペットの力に耐えうる鉄線組構造とすることで、ゴキブリ捕獲器及びダニ捕獲器等を保護できると同時に、ゴキブリやダニの捕獲機能に影響がないようにできる。
【考案の効果】
【０００７】  本考案の保護箱を使用することにより、ゴキブリ捕獲器及びダニ捕獲器等は、乳児、幼児及び屋内で飼育するペットから保護することができ、捕獲機能の低下若しくは喪失を防止できるとともに、不衛生となる可能性も排除できる。
【図面の簡単な説明】
【０００８】
【図１】本考案の保護箱組み立て後の一実施例を示す斜視図である。
【図２】上側の籠部品の斜視図である。
【図３】下側の籠部品の斜視図である。
【図４】上下の籠部品と捕獲器の配置順を示す正面図である。
【考案を実施するための形態】
【０００９】  本考案の保護箱は箱の上側の籠部品と、下側の籠部品を組み合わせて、図１に示すように組み立てる。保護対象のゴキブリ捕獲器及びダニ捕獲器等を、セロハンテープ等で下側の籠部品に接着固定し、上側の籠部品を載せて箱形に組み立て後、インシュロック（結束バンド）等で上下籠の連結部の要所を固縛して上下籠が離れないようにする。
【実施例】
【００１０】以下、添付図の番号を用いて一実施例を説明する。１は上側の籠部品である。鉄線材の径１．６〜２．０ｍｍを格子形に組み、鉄線間の間隔は約１９〜２４ｍｍ程度とし、ゴキブリは通れるが、小型ペットや乳児、幼児の手が通らないような間隔とする。籠の高さは乳児、幼児の指がゴキブリ捕獲器等に届かないように６０ｍｍ程度とする。籠全体の寸法は約１２０ｍｍ×１８０ｍｍとする。格子の重なる部分や連結部は電気抵抗溶接で固着する。２は下側の籠部品であり、ゴキブリが通り易いように鉄線は格子状にしないで、平行に鉄線を組んだ構造とする。また、上籠が入り込む部分は、厚さ１．６ｍｍ幅６〜１０ｍｍ程度の鉄板帯を使用して、連結部は電気抵抗溶接で固着する。
３はインシュロック（結束バンド）であり、上下の籠の固縛方法の例である。４は保護対象のゴキブリ捕獲器やダニ捕獲器等である。
【符号の説明】
【００１１】１  上側の籠部品
２  下側の籠部品
３  インシュロック（結束バンド固縛方法例）
４  ゴキブリ捕獲器、ダニ捕獲器等（保護対象）
【図１】
0003233835.tif 000003
【図２】
0003233835.tif 000004
【図３】
0003233835.tif 000005
【図４】
0003233835.tif 000006
(57)【要約】      （修正有）【課題】容易に着脱することができるとともに、緩んで耳たぶから外れることを防ぐことができるイヤリングを提供する。【解決手段】本考案のイヤリング本体１は、耳たぶ表側に当接する耳たぶ受け部２と、耳たぶ裏側に当接し、耳たぶ受け部との間で耳たぶを挟持するための耳たぶ挟持部とを備え、耳たぶ受部はＵ字状のアーム部の一端に取り付けられ、耳たぶ挟持部は棒状体の一端に取り付けられ、棒状体はＵ字状のアーム部の他端に前後進可能に取り付けられたイヤリングにおいて、耳たぶ受け部及び／又は耳たぶ挟持部の耳たぶと接触する部分に滑り止め用の和紙８を脱着自在に設けたことを特徴とする。【選択図】図１
0003233836.tif 000002
【実用新案登録請求の範囲】
【請求項１】
耳たぶ表側に当接する耳たぶ受け部と、耳たぶ裏側に当接し、耳たぶ受け部との間で耳たぶを挟持するための耳たぶ挟持部とを備えたイヤリングにおいて、
前記耳たぶ挟持部の耳たぶの裏側と接触する部分に、滑り止め用の和紙を配置したシリコン樹脂製の耳当てカバーを脱着自在に設けたことを特徴とするイヤリング。
【考案の詳細な説明】
【考案の詳細な説明】
【技術分野】
【０００１】  本考案は、Ｕ字形のイヤリング本体に取り付けた耳受部と耳あて部で耳たぶを挟んで、耳に装着するイヤリングに関する。
【背景技術】
【０００２】  従来のＵ字形のイヤリング本体を備えたイヤリングは、このイヤリング本体の一端部に耳受部を設け、他端部にねじ筒部を設け、このねじ筒部に雌ねじを形成してある。また、このイヤリングは雄ねじ部材を備え、この雄ねじ部材をねじ筒部に螺入し、この雄ねじ部材の先端部に耳あて部を設け、末端部に摘まみを設けてある。特許文献１には、耳当て部に、シリコン樹脂製のカバーを設ける構成が示されている。これにより、イヤリングの締め付けによる耳たぶの痛みを緩和することができる。
【先行技術文献】
【特許文献】
【０００３】
【特許文献１】実用新案登録第３０７５５５８号公報
【考案の概要】
【考案が解決しようとする課題】
【０００４】  従来は、摘まみを締付方向に回してイヤリングを耳に装着し、逆に摘まみを緩み方向に回してイヤリングを耳から外しており、シリコン樹脂製のカバーにより、締め付けの緩みを補うことはできるが、シリコン樹脂の経年劣化により耳たぶに対する締め付けが緩み、耳たぶからイヤリングが滑り落ちてしまうという問題があった。
【課題を解決するための手段】
【０００５】  上記の課題を解決するために、本考案のイヤリングは、耳たぶ表側に当接する耳たぶ受け部と、耳たぶ裏側に当接し、耳たぶ受け部との間で耳たぶを挟持するための耳たぶ挟持部とを備えたイヤリングにおいて、耳たぶ挟持部の耳たぶの裏側と接触する部分に、滑り止め用の和紙を配置したシリコン樹脂製の耳あてカバーを脱着自在に設けたことを特徴とする。
【考案の効果】
【０００６】  和紙を介して、耳たぶを挟持するため、イヤリングが耳たぶから滑り落ちることが防止できる。また、和紙を設けた耳あてカバーを脱着自在に設けているため、和紙による滑り止め効果が低減した場合、和紙を交換することができる。
【図面の簡単な説明】
【０００７】
【図１】本考案に係るイヤリングの一部断面側面図である。
【図２】図１図示の耳たぶ挟持部の一部を示す図である。
【考案を実施するための形態】
【０００８】    考案の実施の形態を実施例に基づいて図面を参照して説明する。図１は本考案に係るイヤリングの一実施例に係る一部断面側面図であり、図２はこのイヤリングの耳たぶ挟持部の一部を示す図である。
【０００９】  本実施例のイヤリングはＵ字形のイヤリング本体１を備え、このイヤリング本体１の一端に耳たぶ表側に当接する耳たぶ受け部２を設け、この耳たぶ受け部２の外側に装飾体（図示せず）が取り付けられる。
【００１０】  上記イヤリング本体１の他端に、耳たぶ裏側に当接し、耳たぶ受け部との間で耳たぶを挟持するための耳たぶ挟持部を設けている。耳たぶ挟持部は、イヤリング本体１の他端に取り付けられ、雌ねじ貫通孔が形成されたピン保持部材３、この雌ねじ貫通孔に螺入される雄ねじが形成されピン部材４、ピン部材４の一方の端部に設けられた円板状部材５、ピン部材４の他方の端部に設けられた摘まみ６、円板状部材５に脱着自在に被せられたシリコン樹脂製の耳あてカバー７で、構成されている。さらに、耳当てカバー７には、滑り止め用の和紙８が設けられている。
【００１１】  摘み６を回すことにより、ピン部材４が往復動し、耳たぶに当接、または耳たぶから離間し、イヤリングを脱着することができる。上記の例では、滑り止め用の和紙８が設けられた耳当てカバー７を耳たぶ挟持部側に設ける構成を示したが、耳たぶ受け部側にも滑り止め用の和紙８が設けられた耳当てカバーを設けるようにしても良い。尚、シリコン樹脂製の耳あてカバー７は、着色したものとし、適宜、交換することもできる。さらに、和紙の代えて鹿革などを、使用しても良い。
【００１２】  また、上記の例では、ピン部材を往復動させることにより、耳たぶに当接、または耳たぶから離間して脱着するイヤリングを示したが、これに限らず、ばね又はワッシャを用いて狭着力を得るように構成したイヤリングにおいて、上記のように滑り止めようとして和紙などを用いたシリコン樹脂製の耳当てカバーを用いるようにしても良い。
【符号の説明】
【００１３】１  イヤリング本体
２  耳たぶ受け部
３  ピン保持部材
４  ピン部材
５  円板状部材
６  摘まみ
７  耳当てカバー
８  和紙
【図１】
0003233836.tif 000003
【図２】
0003233836.tif 000004
(57)【要約】      （修正有）【課題】飲食店、店内での飲食時のコロナ感染予防のための使い捨ての感染予防マスクを提供する。【解決手段】感染予防マスクは、使い捨てフェイスガードマスクの上部折り曲げ点線（丸印１）及び下部折り曲げ点線（丸印２）を内側へ曲げ下部折り曲げ点線（丸印３）を外側へ曲げ、使い捨てフェイスガードマスクを店内飲食時に付ける事により本人の飛沫防止ならびに他者からの感染予防ができる。下部２が上下にスライド可能な為、飲食時には下部２を上へ上げ会話時には下部２を下げる。又、付けたままでスープなどの飲み物も直接、器から飲む事が出来る。【選択図】図３
0003233833.tif 000002
【実用新案登録請求の範囲】
【請求項１】
フェイスガード部分を分割し、上の部分は鼻を覆い外部の飛散吸引を予防し下の分稼働することにより、飲食店等での食事の際、飲食時には下の部分を上げる事により飲食ができ、会話時には下の部分を下ろし飛散を防止する感染予防等に対する使い捨ての感染予防マスク。
【考案の詳細な説明】
【技術分野】
【０００１】  本考案は、飲食時に感染予防として付ける使い捨てフェイスガードマスクに関する。
【背景技術】
【０００２】  現在飲食店での飲食の際、特定の使い捨てマスクが用意されていない。
【考案の開示】
【考案が解決しようとする課題】
【０００３】  大まかには店内をパネルなどでは仕切ってはあるがそれではまだ飛沫が解消されていない。
【課題を解決するための手段】
【０００４】  そこでお客様にも専用の使い捨てフェイスガードマスクをしていただいた方がより良いと思い考案した。（図３）使い捨てフェイスガードマスクを付ける事により、店内での飛沫を防ぎ飛散を吸う事も防げる。
【考案の効果】
【０００５】  使い捨てフェイスガードをお客様が全員つける事により、店内での飛沫が減少し安全に外食を楽しむ事が出来る。
【考案を実施するための最良の形態】
【０００６】  本考案に係る使い捨てフェイスガードマスクは、ポリプロピレン、塩化ビニール等のプラスチック素材や、厚紙などの紙素材で形どった図１の１の物と図２の３の物を図１の４と図２の５の部分を回転出来るプラスチック素材で接合する事により図３となり図３の形態の物を、店内入室時に入口で点線▲１▼と点線▲２▼を顔側、点線▲３▼を外側へ折り曲げ装着し、飲食する時は３を上へずらす事によりグラスなどの飲み物も飲む事もでき、それ以外の会話の時は３を下へ下げ使用します。
【図面の簡単な説明】
【０００７】
【図１】  本考案に係る接合前１の表と裏の形態である。
【図２】  本考案に係る接合前の３の形態である。
【図３】  本考案の図１の１と図２の３を接合した完成形の状態である。
【図４】  本考案の完成形を顔に装着した場合の前からと横からの予想図である。
【符号の説明】
【０００８】１      接合前上部の表図
２      接合前上部の裏図
３      接合前下部の図
４      上部回転式プラスチック接合部分
５      下部回転式プラスチック接合部分
６      耳掛けゴム
▲１▼  上部折り曲げ点線
▲２▼  下部おりまげ点線
▲３▼  下部おりまげ点線
【図１】
0003233833.tif 000003
【図２】
0003233833.tif 000004
【図３】
0003233833.tif 000005
【図４】
0003233833.tif 000006
(57)【要約】      （修正有）【課題】釣り竿へのリールの固定、脱着をしやすくする六角形リールシートパーツを提供する。【解決手段】リールシート上部のパーツを六角形にすることで、リールの固定、取り外しに力を加えやすくする。【選択図】図１
0003233832.tif 000002
【実用新案登録請求の範囲】
【請求項１】
リールを釣り竿に固定するリールシートの釣り竿上部側パーツを六角形にすることで、リールの固定に力が加えやすくなり、しっかりと固定でき、リールを外す際も外しやすくなるリールシートパーツの形状。
【考案の詳細な説明】
【技術分野】
【０００１】  本考案はリールを釣り竿に固定する際に使用するパーツの形状に関するものである。
【背景技術】
【０００２】  釣り竿にリールを固定するパーツは通常、釣り竿に合わせた円形であり、閉めるときに力が加えにくく、また外す時にも同様であった。そのためしっかりとリールが固定できなく、動いてしまうことで釣りの操作を妨げたり、リールの脱落を招き、また外す際も力が加えにくいため外しにくく、工具などを使うと釣り竿を破損してしまうことがあった。
【考案の概要】
【考案が解決しようとする課題】
【０００３】  釣り竿にリールをしっかりと固定できていないと、釣りをしている最中に操作の不都合やリールの脱落が起こる。また外す際も力が加えにくいと、無理に外すことで釣り竿やリールを傷つけてしまうが、このパーツに力を加えやすい面部分を作ることで力を加えやすく、またプラスチックの六角レンチなどで均等な力を加えることができるため、リールの脱着が安易にできるようになり、前途の欠点を解決しようとするものである。
【課題を解決するための手段】
【０００４】  本考案は、リールを釣り竿に固定するパーツを六角形にすることで、角の平面部分に力を加えやすくした。また六角形にすることで、六角レンチなどを用いて固着してしまった場合でも力を加えることができる。他の角面では釣り竿の操作に支障があり、バランス、デザイン、釣り竿としての機能を最大限に生かすのが六角形である。
【考案の効果】
【０００５】  上記のようにリールシート上部を六角形にすることで、実際にリールの固定がしやすく、脱着も力が加えやすくなった。
【図面の簡単な説明】
【０００６】
【図１】本考案のリールシート上部パーツの図形である
【図１】
0003233832.tif 000003
(57)【要約】      （修正有）【課題】台所において、食器等や使用調理器具を洗浄後に水切り籠に混載して入れているが、食器等を取り出す際に包丁が暴れて負傷する危険がある。これを防止できる取り付けが簡単で小型、安価な包丁保持具を提供する。【解決手段】枠体２の内部に磁石３と枠体側面から伸びる屈曲自在な巻き付け具４〜７からなる包丁保持具において、前記巻き付け具を水切り籠の格子に巻き付け、磁石の磁気作用で包丁保持具１の表面に包丁を磁着保持する。【選択図】図１
0003233859.tif 000002
【実用新案登録請求の範囲】
【請求項１】
枠体の内部に設けた磁石と前記枠体の側面から外に伸びる屈曲自在な巻き付け具からなる包丁保持具。
【請求項２】
前記巻き付け具は、鋼線にゴム又は樹脂材を被覆したことを特徴とする請求項１の包丁保持具。
【請求項３】
前枠体の下部に切り欠き部を設けたことを特徴とする請求項１の包丁保持具。
【考案の詳細な説明】
【技術の分野】
【０００１】  本考案は、台所用水切り籠に取り付ける包丁保持具に関するものである。
【背景技術】
【０００２】  従来いろんな包丁保持具が考案されている。例えば、特許文献１には、台所シンク内で使用する吸着盤付き磁石による包丁保持具が開示されている。
【先行技術文献】
【特許文献】
【０００３】
【特許文献１】特開２００６−１１６２５６号  公報
【考案の概要】
【考案の解決しようとする課題】
【０００４】  特許文献１は、流し台のシンク内に吸盤を用い固定するもので、格子状に構成される水切り籠には取りが出来ない。格子の間隔、形状、素材に影響されずに簡単に取り付けができる包丁保持具ではない。
【０００５】  本考案は、水切り籠に取り付けて使用するもので、食器や調理用具が混載された水切り籠から食器等を取り出す際、包丁の暴れによる負傷等を防止でき、取り付けが簡単で小型安価な包丁保持具の提供を課題とする。
【課題を解決するための手段】
【０００６】  上記課題を解決するために、枠体内部に設けた磁石と枠体側面から外に伸びる屈曲自在な巻付け具からなる包丁保持具を考案、該巻き付け具を水切り籠の格子に巻付け固定、磁石の磁気作用で包丁保持具の表面に包丁を保持する。
【考案の効果】
【０００７】  本考案の包丁保持具を水切り籠に取り付けることで、包丁保持具の表面に包丁を磁着保持することでき、食器等を籠から取り出す際の包丁の暴れによる負傷等を防止できる。
【０００８】  本考案を実施することで、包丁を置く場所が固定され、水切り籠内の整理ができる。
【０００９】  また、枠体内部に構成する磁石の磁力で包丁を包丁保持具の表面に磁着することで、包丁の刃面が直接磁石に触れることがなく、錆汚れが無く、清掃が簡単で衛生的である。
【図面の簡単な説明】
【００１０】
【図１】  包丁保持具の実施例にかかる斜視図。
【図２】  包丁保持具の実施例にかかる正面図。
【図３】  包丁保持具の実施例にかかる裏面図。
【図４】  包丁保持具の実施例にかかる右側面図。
【図５】  包丁保持具の実施例にかかる平面図。
【図６】  包丁保持具の実施例にかかる内部構造図。
【図７Ａ】  包丁保持具の実施例にかかる取り付け状態図。
【図７Ｂ】  包丁保持具の実施例にかかる取り付け状態図。
【図８】  包丁保持具の実施例にかかる使用状態図。
【考案を実施するための形態】
【００１１】  以下、考案の実施の形態を図１〜図６に基づいて説明する。
包丁保持具１は枠体２の内部に設けた磁石３と巻き付け具４〜７から構成れる。巻き付け具４〜７は屈曲自在な鋼線の表面にゴム又は樹脂材が被覆されており、格子への密着性が良く、水切り籠の格子に確実に巻付けが出来る。また、枠体２の下部には切り欠き部１０，１１が設けてある。
【実施例】
【００１２】  実使用形態を図７Ａ，図７Ｂ，図８に基づいて説明する。
図７Ａに示すように水切り籠１２の格子１３，１４間に包丁保持具１を配し、巻き付け具４〜７を格子１３，１４の形状に沿って巻き付けて固定する。巻き付け具は、屈曲自在な鋼線にゴム又は樹脂材が被覆されており、簡単に巻き付けが出来て密着性も良く、包丁保持具を確実に固定できる。【００１３】  また、図７Ｂに示すように格子間隔が狭い籠においても枠体２に設けた切り欠き部１０，１１を格子１６に合わせ巻き付け具４〜７を隣の格子１５，１７に巻き付け固定する。切り欠き部で包丁保持具の動きが規制され安定する。【００１４】  図８は実使用状態の一例を示すもので、包丁１８を水切り籠１２に置く際に包丁１８の柄を籠の枠上ａ部付近に掛け、刃の部位を包丁保持具１で保持することで包丁の質量の分担ができ、磁石の小型化が図れ、包丁保持具１の小型化が図れる。また籠内に手を入れることなく包丁の取り出しができ、より安全である。
【符号の説明】
【００１５】  １    包丁保持具
２    枠体
３    磁石
４〜７  巻き付け具
８    裏蓋
１０，１１  切り欠き部
１２    水切り籠
１３〜１７  格子
１８    包丁
ａ    籠の枠部
【図１】
0003233859.tif 000003
【図２】
0003233859.tif 000004
【図３】
0003233859.tif 000005
【図４】
0003233859.tif 000006
【図５】
0003233859.tif 000007
【図６】
0003233859.tif 000008
【図７Ａ】
0003233859.tif 000009
【図７Ｂ】
0003233859.tif 000010
【図８】
0003233859.tif 000011
【手続補正書】
【提出日】令和3年5月31日(2021.5.31)
【手続補正１】
【補正対象書類名】実用新案登録請求の範囲
【補正対象項目名】全文
【補正方法】変更
【補正の内容】
【実用新案登録請求の範囲】
【請求項１】
枠体の内部に設けた磁石と前記枠体の側面から外に伸びる屈曲自在な巻き付け具からなる包丁保持具。
【請求項２】
前記巻き付け具は、鋼線にゴム又は樹脂材を被覆したことを特徴とする請求項１の包丁保持具。
【請求項３】
前記枠体の下部に切り欠き部を設けたことを特徴とする請求項１の包丁保持具。
(57)【要約】      （修正有）【課題】手軽に、且つ自転車を部分的に埃や雨露から保護し、自転車の劣化や強風が原因の転倒による故障を軽減させる自転車カバーを提供する。【解決手段】自転車カバーは、自転車３のサドルより後方を覆うサイズに形成され、面ファスナーによって脱着できる。自転車カバーを面ファスナーが付いている方をサドル側にし、自転車３後方部分に上から覆うように被せ、フレーム部分を除き面ファスナーでとめる。これにより、手軽に重要箇所を保護することが出来るため、カバーを掛ける頻度が増え、自転車の劣化を防ぐことは勿論、カバーが自転車を部分的にしか覆わないため、自転車全体を覆う従来のカバーと比べ、強風が原因で転倒する際の故障のリスクが低くなる。【選択図】図２
0003233860.tif 000002
【実用新案登録請求の範囲】
【請求項１】
手軽に、且つ自転車を部分的に埃や雨露から保護することが出来る自転車カバー
【考案の詳細な説明】
【技術分野】
【０００１】    本考案は、手軽に、且つ自転車を部分的に埃や雨露から保護するための自転車カバーに関するものである。
【背景技術】
【０００２】    従来、自転車カバーは自転車全体を覆うものである。
【考案の概要】
【考案が解決しようとする課題】
【０００３】    自転車を埃や雨露から守り、錆などの劣化を防ぐのに有効な自転車カバーだが、カバーを自転車全体に掛け外す手間から、カバーを掛けなくなる場合があり、軽快に走行するうえで重要なチェーンや変速機などの錆による劣化を早めている。また、カバーが全体を覆うため、風に煽られやすくカバーを掛けてない時と比べ転倒による故障のリスクが高い。
【課題を解決するための手段】
【０００４】    本考案は、従来の自転車全体を覆うものから、軽快に走行するうえで重要なチェーンや変速機などの保護に特化することで、手軽に重要箇所を保護することが可能となる。
【考案の効果】
【０００５】    上述のように、手軽に重要箇所を保護出来ることにより、カバーを掛ける頻度が増え、自転車の劣化を防ぐことは勿論、カバーが部分的にしか覆われないため、自転車全体を覆う従来のカバーと比べ、強風が原因で転倒した際の故障のリスクが低くなる。
【図面の簡単な説明】
【０００６】
【図１】本考案の簡単ピンポイントサイクルカバーの構造を表した図である。
【図２】本カバーの一実施例を示した図である。
【考案を実施するための形態】
【０００７】    本カバーはポリエステル平織り生地にて、自転車のサドルより後方を覆うサイズに形成されたカバーであり、片側は縫製したマジックテープで脱着ができる。
【実施例】
【０００８】    以下、添付図面に従って一実施例を説明する。図１の１はポリエステル平織り生地で形成されたカバーである。２はカバーの片側をマジックテープで縫製したものである。図２のように本カバーをマジックテープが付いている方をサドル側にし、自転車後方部分に上から覆うように被せ、フレーム部分を除きマジックテープでとめる。
【符号の説明】
【０００９】    １  カバー本体
２  マジックテープ
３  自転車
【図１】
0003233860.tif 000003
【図２】
0003233860.tif 000004
【手続補正書】
【提出日】令和3年6月2日(2021.6.2)
【手続補正１】
【補正対象書類名】実用新案登録請求の範囲
【補正対象項目名】全文
【補正方法】変更
【補正の内容】
【実用新案登録請求の範囲】
【請求項１】
自転車のサドルより後方を覆うサイズに形成され、一片は開閉が出来る自転車カバー。